(57)【要約】【課題】ウェブ状基材上に配列されて搬送されてくるＲＦ−ＩＤメディアに対して搬送方向の側面からの検査を行う。【解決手段】連続シート２に貼付されて搬送されてくる非接触型ＩＣラベル１の搬送方向の延長上に配置され、非接触型ＩＣラベル１に対して情報の書き込み及び読み出しを行う検査部３０と、連続シート２上に配列された非接触型ＩＣラベル１のうち、検査部３０における検査領域に搬送されてきた非接触型ＩＣラベル１に連続シート２上にて隣接する非接触型ＩＣラベル１に対する検査部３０による情報の書き込み及び読み出しを妨害するとともに、検査領域から検査部３０側における非接触型ＩＣラベル１の搬送方向を、検査部３０と検査領域とを結んだ直線から外れるようにする方向規制部材４０とを有する。【選択図】図２
2009258838.tif 000002
【特許請求の範囲】
【請求項１】
ウェブ状基材上に配列して搬送されてくるＲＦ−ＩＤメディアに対して、所定の検査領域にて情報の書き込み及び読み出しを行うことにより当該ＲＦ−ＩＤメディアの検査を行うＲＦ−ＩＤメディアの検査装置であって、
前記ＲＦ−ＩＤメディアの搬送方向の延長上に配置され、前記ＲＦ−ＩＤメディアに対して情報の書き込み及び読み出しを行う検査手段と、
前記ウェブ状基材上に配列されたＲＦ−ＩＤメディアのうち、前記検査領域に搬送されてきたＲＦ−ＩＤメディアに前記ウェブ状基材上にて隣接するＲＦ−ＩＤメディアに対する前記検査手段による情報の書き込み及び読み出しを妨害する妨害手段とを有し、
前記ウェブ状基材は、前記検査領域から前記検査手段側における前記ＲＦ−ＩＤメディアの搬送方向が、前記検査手段と前記検査領域とを結んだ直線から外れるような搬送経路を有するＲＦ−ＩＤメディアの検査装置。
【請求項２】
請求項１に記載のＲＦ−ＩＤメディアの検査装置において、
前記ウェブ状基材の搬送経路は、前記妨害手段によって、前記検査領域から前記検査手段側における前記ＲＦ−ＩＤメディアの搬送方向が、前記検査手段と前記検査領域とを結んだ直線から外れるようなものとされるＲＦ−ＩＤメディアの検査装置。
【請求項３】
請求項１または請求項２に記載のＲＦ−ＩＤメディアの検査装置において、
前記ウェブ状基材の搬送経路は、当該ウェブ状基材上に配列されたＲＦ−ＩＤメディアのうち、前記検査領域に搬送されてきたＲＦ−ＩＤメディアに前記ウェブ状基材上にて隣接するＲＦ−ＩＤメディアが、前記検査手段と前記検査領域とを結んだ直線から外れるようなものとするＲＦ−ＩＤメディアの検査装置。
【発明の詳細な説明】
【技術分野】
【０００１】
本発明は、非接触状態にて情報の書き込み及び読み出しが可能なＲＦ−ＩＤメディアの検査装置に関し、特に、ウェブ状基材に配列して搬送されてくるＲＦ−ＩＤメディアに対して検査を行うＲＦ−ＩＤメディアの検査装置に関する。
【背景技術】
【０００２】
近年、情報化社会の進展に伴って、情報をタグやラベルに記録し、該タグやラベルを商品等に添付して商品等の管理が行われている。このようなタグやラベルを用いた商品等の管理においては、非接触状態にて情報の書き込み及び読み出しを行うことが可能なＩＣが搭載された非接触型ＩＣタグや非接触型ＩＣラベルがその優れた利便性から急速な普及が進みつつある。
【０００３】
このようなラベルにおいては、例えば、ウェブ状基材に一定間隔で貼付された状態で提供され、その後、ウェブ状基材がラベル毎に断裁されたり、このウェブ状基材からラベルが剥離されて使用されたりする。また、非接触状態にて情報の書き込みや読み出しが可能なＩＣチップが内蔵された非接触型ＩＣラベルにおいても同様に、ウェブ状基材に一定間隔で貼付された状態で提供されることが行われている。
【０００４】
このように、非接触型ＩＣラベルをウェブ状基材に一定間隔で貼付した状態で提供する場合、非接触型ＩＣラベルに対する情報の書き込み及び読み出し動作の検査は、非接触型ＩＣラベルがウェブ状基材に貼付された状態で行われる（例えば、特許文献１参照。）。
【０００５】
図７は、ウェブ状基材に貼付された非接触型ＩＣラベルを検査する従来の検査装置の一例を示す外観斜視図である。
【０００６】
本従来例は図７に示すように、連続シート３０２に一定間隔で貼付された非接触型ＩＣラベル３０１の検査を行うものであって、２つの検査部３１０，３２０と、３つの電波吸収板３０５ａ〜３０５ｃとを有する。検査部３１０，３２０にはそれぞれアンテナ３１１，３２１が設けられており、このアンテナ３１１，３２１と非接触型ＩＣラベル３０１のアンテナとが共振することにより、非接触型ＩＣラベル３０１のアンテナに電流が流れ、検査部３１０，３２０において非接触型ＩＣラベル３０１に対して情報の書き込みや読み出しが行われる。非接触型ＩＣラベル３０１が貼付された連続シート３０２は、供給ローラ３０３に巻き取られた状態から引き出され、検査部３１０，３２０にて非接触型ＩＣラベル３０１の検査が行われた後に巻き取りローラ３０４に巻き取られていく。電波吸収板３０５ａ〜３０５ｃは、供給ローラ３０３から引き出された連続シート３０２の搬送経路において、連続シート３０２に貼付された非接触型ＩＣラベル３０１と同一のピッチで配置されており、この電波吸収板３０５ａ〜３０５ｃ間に検査部３１０，３２０がそれぞれ配置されている。検査部３１０は、アンテナ３１１が連続シート３０２に貼付されて搬送されてくる非接触型ＩＣラベル３０１に正対するように配置されており、また、検査部３２０は、アンテナ３１１が連続シート３０２に貼付されて搬送されてくる非接触型ＩＣラベル３０１の搬送方向に直交する側面に対向するように配置されている。
【０００７】
上記のように構成された検査装置においては、供給ローラ３０３から引き出された連続シート３０２は、電波吸収板３０５ａ〜３０５ｃに設けられた開口部３０６ａ〜３０６ｃを介して搬送されていく。
【０００８】
するとまず、非接触型ＩＣラベル３０１が検査部３１０のアンテナ３１１と正対し、検査部３１０にて非接触型ＩＣラベル３０１に対して情報の書き込み及び読み出しが行われ、これにより、非接触型ＩＣラベル３０１の正面方向からの検査が行われる。この際、検査部３１０が配置された領域は２枚の電波吸収板３０５ａ，３０５ｂで囲まれており、また、電波吸収板３０５ａ，３０５ｂが非接触型ＩＣラベル３０１と同一のピッチで配置されていることからこの領域には１枚の非接触型ＩＣラベル３０１しか存在しないことになるため、検査部３１０において１枚の非接触型ＩＣラベル３０１のみに対して情報の書き込み及び読み出しが行われることになる。
【０００９】
そして、連続シート３０２が搬送されていくと、検査部３１０にて検査が行われた非接触型ＩＣラベル３０１が、次に検査部３２０のアンテナ３２１とその側面にて対向し、検査部３２０にて非接触型ＩＣラベル３０１に対して情報の書き込み及び読み出しが行われ、これにより、非接触型ＩＣラベル３０１の搬送方向に直交する側面からの検査が行われる。この際、検査部３２０が配置された領域も２枚の電波吸収板３０５ｂ，３０５ｃで囲まれており、また、電波吸収板３０５ｂ，３０５ｃが非接触型ＩＣラベル３０１と同一のピッチで配置されていることからこの領域には１枚の非接触型ＩＣラベル３０１しか存在しないことになるため、検査部３２０において１枚の非接触型ＩＣラベル３０１のみに対して情報の書き込み及び読み出しが行われることになる。
【００１０】
その後、検査が終了した非接触型ＩＣラベル３０１は、その検査結果において不良品である場合はその旨を示すマーキング等が施され、連続シート３０２とともに巻き取りローラ３０４に巻き取られていく。
【特許文献１】特開２００６−６５３７５号公報
【発明の開示】
【発明が解決しようとする課題】
【００１１】
上述したような非接触型ＩＣラベル等のＲＦ−ＩＤメディアにおいては、商品に添付され、複数の商品がかごや箱に無造作に入れられた状態で情報の書き込みや読み出しが一括で行われる場合がある。その場合、情報の書き込みや読み出しが行われる方向はＲＦ−ＩＤメディアの正面等の特定な方向に限られないこととなるため、ＲＦ−ＩＤメディアに対して様々な方向からの検査を行う必要がある。また、近年においては、クロスダイポールアンテナを用いたもの等、無指向性アンテナを用いたＲＦ−ＩＤメディアが様々な用途に用いられ始めており、このような無指向性アンテナを用いたＲＦ−ＩＤメディアにおいても、様々な方向からの検査を行う必要がある。
【００１２】
しかしながら、上述したような従来の検査装置においては、ＲＦ−ＩＤメディアの正面と、搬送方向に直交する側面からの検査を行うことができるものの、搬送方向の側面からの検査を行うことができないという問題点がある。これは、ＲＦ−ＩＤメディアが連続シートに貼付されて搬送される場合、その搬送方向に検査手段を配置することが困難であるとともに、ＲＦ−ＩＤメディアの搬送方向から検査を行う場合、連続シートに貼付された複数のＲＦ−ＩＤメディアに対して情報の書き込み及び読み出しが行われてしまうためである。
【００１３】
本発明は、上述したしたような従来の技術が有する問題点に鑑みてなされたものであって、ウェブ状基材上に配列して搬送されてくるＲＦ−ＩＤメディアに対して搬送方向の側面からの検査を行うことができるＲＦ−ＩＤメディアの検査装置を提供することを目的とする。
【課題を解決するための手段】
【００１４】
上記目的を達成するために本発明は、
ウェブ状基材上に配列して搬送されてくるＲＦ−ＩＤメディアに対して、所定の検査領域にて情報の書き込み及び読み出しを行うことにより当該ＲＦ−ＩＤメディアの検査を行うＲＦ−ＩＤメディアの検査装置であって、
前記ＲＦ−ＩＤメディアの搬送方向の延長上に配置され、前記ＲＦ−ＩＤメディアに対して情報の書き込み及び読み出しを行う検査手段と、
前記ウェブ状基材上に配列されたＲＦ−ＩＤメディアのうち、前記検査領域に搬送されてきたＲＦ−ＩＤメディアに前記ウェブ状基材上にて隣接するＲＦ−ＩＤメディアに対する前記検査手段による情報の書き込み及び読み出しを妨害する妨害手段とを有し、
前記ウェブ状基材は、前記検査領域から前記検査手段側における前記ＲＦ−ＩＤメディアの搬送方向が、前記検査手段と前記検査領域とを結んだ直線から外れるような搬送経路を有する。
【００１５】
上記のように構成された本発明においては、ウェブ状基材上に配列されたＲＦ−ＩＤメディアが搬送されてくると、ＲＦ−ＩＤメディアの搬送方向の延長上に配置された検査手段において、ＲＦ−ＩＤメディアに対して情報の書き込み及び読み出しが行われる。これにより、ＲＦ−ＩＤメディアに対して搬送方向の側面からの検査が行われる。この際、検査が行われるＲＦ−ＩＤメディアは検査領域に搬送されているが、このＲＦ−ＩＤメディアにウェブ状基材上にて隣接するＲＦ−ＩＤメディアに対する検査手段による情報の書き込み及び読み出しが妨害手段によって妨害されるので、ウェブ状基材に配列された他のＲＦ−ＩＤメディアに対して情報の書き込み及び読み出しが行われてしまうことがない。また、ウェブ状基材の搬送経路が、検査領域から検査手段側におけるＲＦ−ＩＤメディアの搬送方向が、検査手段と検査領域とを結んだ直線から外れるようなものであるため、ＲＦ−ＩＤメディアの搬送方向に検査手段を容易に配置することができる。
【００１６】
また、上述したウェブ状基材の搬送経路を、妨害手段によって、検査領域から検査手段側におけるＲＦ−ＩＤメディアの搬送方向が、検査手段と検査領域とを結んだ直線から外れるようなものとすることにより、構成部材の数が少なくなり、装置構成を簡易なものとすることができる。
【００１７】
また、ウェブ状基材の搬送経路を、ウェブ状基材上に配列されたＲＦ−ＩＤメディアのうち、検査領域に搬送されてきたＲＦ−ＩＤメディアにウェブ状基材上にて隣接するＲＦ−ＩＤメディアが、検査手段と検査領域とを結んだ直線から外れるようなものとすれば、検査手段と検査領域とを結んだ直線上には、検査対象となるＲＦ−ＩＤメディアのみが存在することになり、検査手段が指向性が強いものである場合に、検査手段にて検査が行われたＲＦ−ＩＤメディアに対する重複した検査が行われてしまうことが回避される。
【発明の効果】
【００１８】
以上説明したように本発明においては、ウェブ状基材上に配列して搬送されてくるＲＦ−ＩＤメディアに対して、所定の検査領域にて情報の書き込み及び読み出しを行うことによりＲＦ−ＩＤメディアの検査を行うＲＦ−ＩＤメディアの検査装置であって、ＲＦ−ＩＤメディアの搬送方向の延長上に配置され、ＲＦ−ＩＤメディアに対して情報の書き込み及び読み出しを行う検査手段と、ウェブ状基材上に配列されたＲＦ−ＩＤメディアのうち、検査領域に搬送されてきたＲＦ−ＩＤメディアにウェブ状基材上にて隣接するＲＦ−ＩＤメディアに対する検査手段による情報の書き込み及び読み出しを妨害する妨害手段とを有し、ウェブ状基材の搬送経路を、検査領域から検査手段側におけるＲＦ−ＩＤメディアの搬送方向が、検査手段と検査領域とを結んだ直線から外れるようなものとしたため、ＲＦ−ＩＤメディアの搬送方向に検査手段を容易に配置することができるとともに、ウェブ状基材に配列された他のＲＦ−ＩＤメディアに対して情報の書き込み及び読み出しが行われてしまうことがなくなり、それにより、ウェブ状基材上に配列されて搬送されてくるＲＦ−ＩＤメディアに対して搬送方向の側面からの検査を行うことができる。
【００１９】
また、ウェブ状基材の搬送経路が、妨害手段によって、検査領域から検査手段側におけるＲＦ−ＩＤメディアの搬送方向が、検査手段と検査領域とを結んだ直線から外れるようなものにおいては、構成部材の数が少なくなり、装置構成を簡易なものとすることができる。
【００２０】
また、ウェブ状基材の搬送経路が、ウェブ状基材上に配列されたＲＦ−ＩＤメディアのうち、検査領域に搬送されてきたＲＦ−ＩＤメディアにウェブ状基材上にて隣接するＲＦ−ＩＤメディアが、検査手段と検査領域とを結んだ直線から外れるようなものにおいては、検査手段と検査領域とを結んだ直線上には、検査対象となるＲＦ−ＩＤメディアのみが存在することになり、検査手段が指向性が強いものである場合に、検査手段にて検査が行われたＲＦ−ＩＤメディアに対する重複した検査が行われてしまうことを回避することができる。
【発明を実施するための最良の形態】
【００２１】
以下に、本発明の実施の形態について図面を参照して説明する。
【００２２】
（第１の実施の形態）
まず、本発明の検査装置の検査対象となるＲＦ−ＩＤメディアについて説明する。
【００２３】
図１は、本発明の検査装置の検査対象となるＲＦ−ＩＤメディアである非接触型ＩＣラベルの供給形態を示す図である。
【００２４】
本発明の検査装置の検査対象となるＲＦ−ＩＤメディアである非接触型ＩＣラベルは図１に示すように、ウェブ状基材である連続シート２上に一定間隔で配列して貼付されており、連続シート２は、供給ローラ３に巻き取られた状態から引き出され、巻き取りローラ４に巻き取られる。連続シート２に貼付された非接触型ＩＣラベル１のそれぞれは、ラベル基材上に、導電性材料が印刷等によって塗布されることによりアンテナが形成されるとともに、このアンテナに接続されるようにＩＣチップが搭載されて構成されている。外部に設けられた情報書込／読出装置に対して通信可能距離に配置されると、情報書込／読出装置に流れる電流に共振することによりアンテナに電流が流れ、この電流がＩＣチップに供給されることにより、ＩＣチップに対して非接触状態にて情報が書き込まれたり、読み出されたりすることになる。
【００２５】
図２は、本発明のＲＦ−ＩＤメディアの検査装置の第１の実施の形態を示す図であり、（ａ）は外観斜視図、（ｂ）は（ａ）に示したＡ方向から見た図である。
【００２６】
本形態は図２に示すように、図１に示した連続シート２に一定間隔で配列して貼付された非接触型ＩＣラベル１の検査を行うものであって、３つの検査部１０，２０，３０と、３つの電波吸収板５ａ〜５ｃと、妨害手段である方向規制部材４０と、保持ローラ５０ａ，５０ｂとを有し、３つの検査部１０，２０，３０のうち検査部３０が本発明における検査手段となる。
【００２７】
電波吸収板５ａ〜５ｃは、供給ローラ３から引き出された連続シート２の搬送経路において、連続シート２に貼付された非接触型ＩＣラベル１と同一の間隔で配置されており、この電波吸収板５ａ〜５ｃ間に検査部１０，２０がそれぞれ配置されている。
【００２８】
方向規制部材４０は、供給ローラ３から引き出された連続シート２の搬送経路を規制するためのものであって、この方向規制部材４０の側面に沿って連続シート２が搬送されていくことにより、連続シート２に貼付された非接触型ＩＣラベル１の搬送方向が検査部３０に向かう領域が生じる。
【００２９】
検査部１０，２０，３０にはそれぞれアンテナ１１，２１，３１が設けられており、このアンテナ１１，２１，３１と非接触型ＩＣラベル１のアンテナとが共振することにより、非接触型ＩＣラベル１のアンテナに電流が流れ、検査部１０，２０，３０において非接触型ＩＣラベル１に対して情報の書き込みや読み出しが行われる。検査部１０，２０，３０は、非接触型ＩＣラベル１に対して検査用の情報を書き込み、非接触型ＩＣラベル１からその検査用の情報を読み出すことができるかどうか、あるいは書き込んだ検査用の情報に応じた応答情報を読み出すことができるかどうかによって非接触型ＩＣラベル１の良否を判定する。検査部１０は、アンテナ１１が連続シート２に貼付されて搬送されてくる非接触型ＩＣラベル１に正対するように配置されており、また、検査部２０は、アンテナ１１が連続シート２に貼付されて搬送されてくる非接触型ＩＣラベル１の搬送方向に直交する側面に対向するように配置されている。また、検査部３０は、上述したように、方向規制部材４０の側面に沿って連続シート２が搬送されていくことにより、連続シート２に貼付された非接触型ＩＣラベル１の搬送方向の延長上となる領域に配置されている。
【００３０】
図３は、図２に示した方向規制部材４０の詳細な構造を示す図であり、（ａ）は外観斜視図、（ｂ）は（ａ）に示したＡ−Ａ’断面図である。
【００３１】
図２に示した方向規制部材４０は図３に示すように、その側面の一部に開口部４１が形成された中空円筒状のものであって、金属等、誘電率が高く、電波を減衰させる材料から構成されている。開口部４１は、方向規制部材４０の側面のうち、方向規制部材４の側面上を連続シート２が搬送された場合に、連続シート２に貼付された非接触型ＩＣラベル１の搬送方向が検査部３０に向かう領域に、連続シート２に配列して貼付された非接触型ＩＣラベル１のうち１枚のみが対向する大きさを有して形成されている。
【００３２】
以下に、上記のように構成されたＲＦ−ＩＤメディアの検査装置の動作について説明する。
【００３３】
図２に示した検査装置においては、供給ローラ３に巻きつけられた連続シート２が、巻き取りローラ４の回転によって供給ローラ３から引き出されると、供給ローラ３から引き出された連続シート２は、電波吸収板５ａ〜５ｃに設けられた開口部６ａ〜６ｃを介して搬送されていく。
【００３４】
連続シート２に貼付された非接触型ＩＣラベル１は、まず、電波吸収板５ａに設けられた開口部６ａを介して、２枚の電波吸収板５ａ，５ｂ間に搬送される。２枚の電波吸収板５ａ，５ｂ間においては、非接触型ＩＣラベル１が検査部１０のアンテナ１１と正対し、検査部１０にて非接触型ＩＣラベル１に対して検査用の情報の書き込み及び読み出しが行われ、これにより、非接触型ＩＣラベル１の正面方向からの検査が行われる。この際、検査部１０が配置された領域は２枚の電波吸収板５ａ，５ｂで囲まれており、また、電波吸収板５ａ，５ｂが非接触型ＩＣラベル１と同一の間隔で配置されていることからこの領域には１枚の非接触型ＩＣラベル１しか存在しないことになるため、検査部１０において１枚の非接触型ＩＣラベル１のみに対して情報の書き込み及び読み出しが行われることになる。
【００３５】
そして、連続シート２が搬送されていくと、検査部１０にて検査が行われた非接触型ＩＣラベル１が、電波吸収板５ｂに設けられた開口部６ｂを介して、２枚の電波吸収板５ｂ，５ｃ間に搬送される。２枚の電波吸収板５ｂ，５ｃ間においては、非接触型ＩＣラベル１が検査部２０のアンテナ２１とその側面にて対向し、検査部２０にて非接触型ＩＣラベル１に対して検査用の情報の書き込み及び読み出しが行われ、これにより、非接触型ＩＣラベル１の搬送方向に直交する側面からの検査が行われる。この際、検査部２０が配置された領域も２枚の電波吸収板５ｂ，５ｃで囲まれており、また、電波吸収板５ｂ，５ｃが非接触型ＩＣラベル１と同一のピッチで配置されていることからこの領域には１枚の非接触型ＩＣラベル１しか存在しないことになるため、検査部２０において１枚の非接触型ＩＣラベル１のみに対して情報の書き込み及び読み出しが行われることになる。
【００３６】
連続シート２がさらに搬送されていくと、検査部１０，２０にて検査が行われた非接触型ＩＣラベル１が、電波吸収板５ｃに設けられた開口部６ｃを介して、方向規制部材４０が配置された領域に搬送される。方向規制部材４０が配置された領域においては、連続シート２が保持ローラ５０ａと方向規制部材４０との間に挟まれ、方向規制部材４０の側面上を搬送経路として搬送されていくことにより、非接触型ＩＣラベル１の搬送方向が方向規制部材４０の側面に沿う方向に変化する。
【００３７】
そして、非接触型ＩＣラベル１が方向規制部材４０の側面に沿って搬送されている間にて検査部３０による検査が行われる。
【００３８】
図４は、図２に示した検査装置の検査部３０にて非接触型ＩＣラベル１の検査が行われる際の動作を説明するための図である。
【００３９】
図４に示すように、連続シート２が方向規制部材４０の側面上を搬送されていくと、連続シート２に貼付された非接触型ＩＣラベル１が、その搬送方向の側面が検査部３０に対向する領域に到達する。
【００４０】
検査部３０においては、連続シート２に貼付された非接触型ＩＣラベル１に対して検査用の情報の書き込み及び読み出しが行われており、検査部３０のアンテナ３１の通信範囲に存在する非接触型ＩＣラベル１に対して検査用の情報の書き込み及び読み出しが行われている。ところが、方向規制部材４０は、上述したように、金属等の電波を減衰させる材料から構成されているため、この方向規制部材４０によって検査部３０による非接触型ＩＣラベル２に対する検査用の情報の書き込み及び読み出しが妨害され、方向規制部材４０に連続シート２を介して当接している非接触型ＩＣラベル１に対しては検査用の情報の書き込み及び読み出しは行われない。
【００４１】
ここで、非接触型ＩＣラベル１の搬送方向の側面が検査部３０に対向する領域においては、上述したように、連続シート２に配列して貼付された非接触型ＩＣラベル１のうち１枚のみが対向する大きさを有する開口部４１が形成されているため、搬送方向の側面が検査部３０に対向する領域に搬送された非接触型ＩＣラベル１においては、開口部４１に対向し、連続シート２を介して方向規制部材４０が当接しておらず、そのため、検査部３０からの検査用の情報が書き込まれ、読み出されることになる。この非接触型ＩＣラベル１が開口部４１に対向する領域を検査領域とする。またその際、検査部３０からの検査用の情報の書き込み及び読み出しが行われる非接触型ＩＣラベル１に連続シート２上にて隣接する非接触型ＩＣラベル１においては、開口部４１が、１枚の非接触型ＩＣラベル１のみが対向する大きさを有するものであることから、開口部４１には対向せずに連続シート２を介して方向規制部材４０が当接しており、検査用の情報の書き込み及び読み出しは行われない。
【００４２】
検査部３０において検査用の情報の書き込み及び読み出しが行われた非接触型ＩＣラベル１は、その後、連続シート２の搬送に伴って、方向規制部材４０の側面に沿って搬送されていく。方向規制部材４０は、上述したように円筒状のものであるため、非接触型ＩＣラベル１の搬送方向は、非接触型ＩＣラベル１がその搬送方向の側面が開口部３０に対向して検査用の情報の書き込み及び読み出しが行われる検査領域と検査部３０とを結んだ直線から外れていく。これにより、方向規制部材４０の側面に沿って連続シート２が搬送されることにより検査領域に搬送されてきた非接触型ＩＣラベル１の搬送方向の側面からの検査を行いながらも、その検査を行う検査部３０を、非接触型ＩＣラベル１の搬送方向の側面に対向する領域に配置することができる。また、非接触型ＩＣラベル１がその搬送方向の側面が開口部３０に対向して検査用の情報の書き込み及び読み出しが行われる検査領域と検査部３０とを結んだ直線上には、検査対象となる非接触型ＩＣラベル１のみが存在することになるため、検査部３０のアンテナ３１が指向性が強いものである場合、検査が行われた非接触型ＩＣラベル１の搬送方向が検査領域と検査部３０とを結んだ直線から外れていくことによっても、検査部３０にて検査が行われた非接触型ＩＣラベル１に対する重複した検査が行われてしまうことが回避される。
【００４３】
そして、連続シート２が保持ローラ５０ｂと方向規制部材４０との間に挟まれ、連続シート２の搬送方向が巻き取りローラ４に向かう方向とされ、検査が終了した非接触型ＩＣラベル１は、その検査結果において不良品である場合はその旨を示すマーキング等が施され、連続シート２とともに巻き取りローラ４に巻き取られていく。
【００４４】
このように本形態においては、連続シート２に貼付された非接触型ＩＣラベル１が、連続シート２が方向規制部材４０の側面に沿って搬送されることにより、その搬送方向の側面が検査部３０に対向する検査領域に搬送され、その検査領域にて検査部３０によって検査用の情報の書き込み及び読み出しが行われ、その際、検査が行われる非接触型ＩＣラベル１に連続シート２上にて隣接する非接触型ＩＣラベル１が、金属等の電波を減衰させる材料から構成された方向規制部材４０に連続シート２を介して当接しているため、連続シート２に配列された他の非接触型ＩＣラベル１に対して情報の書き込み及び読み出しが行われてしまうことがなく、また、連続シート２の搬送経路が、検査領域から検査部３０側における非接触型ＩＣラベル１の搬送方向が、検査領域と検査部３０とを結んだ直線から外れるようなものであるため、非接触型ＩＣラベル１の搬送方向の側面からの検査を行う検査部３０を非接触型ＩＣラベル１の搬送方向に容易に配置することができる。
【００４５】
（第２の実施の形態）
図５は、本発明のＲＦ−ＩＤメディアの検査装置の第２の実施の形態を示す図である。
【００４６】
本形態は図５に示すように、図１に示した連続シート２に一定間隔で配列して貼付された非接触型ＩＣラベル１の検査を行うものであって、３つの検査部１１０，１２０，１３０と、２つの電波吸収板１０５ａ，１０５ｂと、妨害手段である方向規制ローラ１４０ａ及び方向規制板１４０ｂと、保持ローラ１５０とを有し、３つの検査部１１０，１２０，１３０のうち検査部１３０が本発明における検査手段となる。なお、方向規制ローラ１４０ａ及び方向規制板１４０ｂは、第１の実施の形態にて示した方向規制部材４０と同様の材料から構成されている。
【００４７】
電波吸収板１０５ａ，１０５ｂは、供給ローラ３から引き出された連続シート２の搬送経路において、連続シート２に貼付された非接触型ＩＣラベル１と同一の間隔で配置されており、この電波吸収板１０５ａ，１０５ｂ間に検査部１１０が配置されている。
【００４８】
方向規制ローラ１４０ａは、供給ローラ３から引き出された連続シート２の搬送経路を規制するためのものであって、この方向規制ローラ１４０ａの側面に沿って連続シート２が搬送されていくことにより、連続シート２に貼付された非接触型ＩＣラベル１の搬送方向が検査部１３０に向かう領域が生じる。この方向規制ローラ１４０ａと電波吸収板１０５ｃとの間隔は、連続シート２に貼付された非接触型ＩＣラベル１の間隔と同一であって、方向規制ローラ１４０ａと電波吸収板１０５ｃとの間に検査部１２０が配置されている。
【００４９】
方向規制板１４０ｂは、連続シート２の搬送方向を規制することにより、検査部１３０に対向して検査が行われた非接触型ＩＣラベル１を巻き取りローラ４に導くためのものであって、非接触型ＩＣラベル１が当接する面が円弧状となっている。この方向規制板１４０ｂと方向規制ローラ１４０ａとの間隔は、連続シート２に貼付された非接触型ＩＣラベル１の間隔と同一であって、それにより、非接触型ＩＣラベル１が貼付された連続シート２の搬送状態において、方向規制板１４０ｂと方向規制ローラ１４０ａとの間には、連続シート２に貼付された１つの非接触型ＩＣラベル１のみが存在することになる。
【００５０】
検査部１１０，１２０，１３０にはそれぞれアンテナ（不図示）が設けられており、このアンテナと非接触型ＩＣラベル１のアンテナとが共振することにより、非接触型ＩＣラベル１のアンテナに電流が流れ、検査部１１０，１２０，１３０において非接触型ＩＣラベル１に対して情報の書き込みや読み出しが行われる。検査部１１０，１２０，１３０は、非接触型ＩＣラベル１に対して検査用の情報を書き込み、非接触型ＩＣラベル１からその検査用の情報を読み出すことができるかどうか、あるいは書き込んだ検査用の情報に応じた応答情報を読み出すことができるかどうかによって非接触型ＩＣラベル１の良否を判定する。検査部１１０は、そのアンテナが連続シート２に貼付されて搬送されてくる非接触型ＩＣラベル１に正対するように配置されており、また、検査部１２０は、そのアンテナが連続シート２に貼付されて搬送されてくる非接触型ＩＣラベル１の搬送方向に直交する側面に対向するように配置されている。また、検査部１３０は、上述したように、方向規制ローラ１４０ａの側面に沿って連続シート２が搬送されていくことにより、連続シート２に貼付された非接触型ＩＣラベル１の搬送方向の延長上となる領域に配置されている。
【００５１】
以下に、上記のように構成されたＲＦ−ＩＤメディアの検査装置の動作について説明する。
【００５２】
図６は、図５に示したＲＦ−ＩＤメディアの検査装置の動作を説明するための図である。
【００５３】
図５に示した検査装置においては、供給ローラ３に巻きつけられた連続シート２が、巻き取りローラ４の回転によって供給ローラ３から引き出されると、供給ローラ３から引き出された連続シート２は、電波吸収板１０５ａ，１０５ｂに設けられた開口部（不図示）を介して搬送されていく。
【００５４】
連続シート２に貼付された非接触型ＩＣラベル１は、まず、電波吸収板１０５ａに設けられた開口部を介して、２枚の電波吸収板１０５ａ，１０５ｂ間に搬送される。２枚の電波吸収板１０５ａ，１０５ｂ間においては、非接触型ＩＣラベル１が検査部１１０のアンテナと正対し、検査部１１０にて非接触型ＩＣラベル１に対して検査用の情報の書き込み及び読み出しが行われ、これにより、非接触型ＩＣラベル１の正面方向からの検査が行われる。この際、検査部１１０が配置された領域は２枚の電波吸収板１０５ａ，１０５ｂで囲まれており、また、電波吸収板１０５ａ，１０５ｂが非接触型ＩＣラベル１と同一の間隔で配置されていることからこの領域には１枚の非接触型ＩＣラベル１しか存在しないことになるため、検査部１１０において１枚の非接触型ＩＣラベル１のみに対して情報の書き込み及び読み出しが行われることになる。
【００５５】
そして、連続シート２が搬送されていくと、検査部１１０にて検査が行われた非接触型ＩＣラベル１が、電波吸収板１０５ｂに設けられた開口部を介して、電波吸収板１０５ｂと方向規制ローラ１０４ａとの間に搬送される。電波吸収板１０５ｂと方向規制ローラ１０４ａとの間においては、非接触型ＩＣラベル１が検査部１２０のアンテナとその側面にて対向し、検査部１２０にて非接触型ＩＣラベル１に対して検査用の情報の書き込み及び読み出しが行われ、これにより、非接触型ＩＣラベル１の搬送方向に直交する側面からの検査が行われる。この際、検査部１２０が配置された領域は、連続シート２の搬送方向上流側に電波吸収板１０５ｂが配置され、また、連続シート２の搬送方向下流側には方向規制ローラ１４０ａが配置されており、これら電波吸収板１０５ｂと方向規制ローラ１０４ａとの間隔が、非接触型ＩＣラベル１と同一の間隔であることからこの領域には１枚の非接触型ＩＣラベル１しか存在しないことになる。この領域に搬送されてきた非接触型ＩＣラベル１に連続シート２上にて搬送方向上流側に隣接する非接触型ＩＣラベル１においては、検査部１２０における検査用の情報の書き込み及び読み出しが電波吸収板１０５ｂによって妨害される。また、この領域に搬送されてきた非接触型ＩＣラベル１に連続シート２上にて搬送方向下流側に隣接する非接触型ＩＣラベル１においては、後述するように方向規制ローラ１４０ａの側面に当接しており、方向規制ローラ１４０ａが上述したように電波を減衰させる材料から構成されているため、検査部１２０における検査用の情報の書き込み及び読み出しが方向規制ローラ１４０ａによって妨害される。
【００５６】
連続シート２がさらに搬送されていくと、検査部１１０，１２０にて検査が行われた非接触型ＩＣラベル１が、方向規制ローラ１４０ａが配置された領域に搬送される。方向規制ローラ１４０ａが配置された領域においては、連続シート２が保持ローラ１５０と方向規制ローラ１４０ａとの間に挟まれ、方向規制ローラ１４０ａの側面上を搬送されていくことにより、非接触型ＩＣラベル１の搬送方向が方向規制ローラ１４０ａの側面に沿う方向に変化し、方向規制ローラ１４０ａの側面に当接しながら搬送されていく。
【００５７】
方向規制ローラ１４０ａの側面に当接しながら搬送された非接触型ＩＣラベル１４０ａは、方向規制ローラ１４０ａの側面のうち、その接線が検査部１３０に向かう領域にて連続シート２とともに方向規制ローラ１４０ａから離反し、方向規制板１４０ｂによって検査部１３０に向かう方向に搬送されていく。それにより、連続シート２に貼付された非接触型ＩＣラベル１が、その搬送方向の側面が検査部１３０に対向するようになる。この方向規制ローラ１４０ａと方向規制板１４０ｂとの間の領域を検査領域とする。
【００５８】
検査部１３０においては、連続シート２に貼付された非接触型ＩＣラベル１に対して検査用の情報の書き込み及び読み出しが行われており、検査部１３０のアンテナの通信範囲に存在する非接触型ＩＣラベル１に対して検査用の情報の書き込み及び読み出しが行われている。そのため、搬送方向の側面が検査部１３０に対向するようになった非接触型ＩＣラベル１に対してその側面から検査用の情報の書き込み及び読み出しが行われ、検査が行われることになる。
【００５９】
ここで、方向規制ローラ１４０ａと方向規制板１４０ｂとの間隔は、連続シート２に貼付された非接触型ＩＣラベル１の間隔と同一であるため、非接触型ＩＣラベル１が貼付された連続シート２の搬送状態において、方向規制ローラ１４０ａと方向規制板１４０ｂとの間には、連続シート２に貼付された１つの非接触型ＩＣラベル１のみが存在することになる。この領域に搬送されてきた非接触型ＩＣラベル１に連続シート２上にて搬送方向上流側に隣接する非接触型ＩＣラベル１においては、方向規制ローラ１４０ａの側面に当接していることにより、検査部１２０における検査用の情報の書き込み及び読み出しが方向規制ローラ１４０ａによって妨害される。また、この領域に搬送されてきた非接触型ＩＣラベル１に連続シート２上にて搬送方向下流側に隣接する非接触型ＩＣラベル１においては、後述するように方向規制板１４０ｂに連続シート２を介して当接しており、方向規制板１４０ｂが上述したように電波を減衰させる材料から構成されているため、検査部１３０における検査用の情報の書き込み及び読み出しが方向規制板１４０ｂによって妨害されることになる。
【００６０】
検査部１３０において検査用の情報の書き込み及び読み出しが行われた非接触型ＩＣラベル１は、その後、連続シート２が方向規制板１４０ｂの表面を搬送経路として搬送されていくことにより、方向規制板１４０ｂ上を連続シート２を介して方向規制板１４０ｂに当接しながら搬送されていく。方向規制板１４０ｂは、連続シート２が当接する面が円弧状となっているため、非接触型ＩＣラベル１の搬送方向は、方向規制ローラ１４０ａと方向規制板１４０ｂとの間の検査領域と検査部１３０とを結んだ直線から外れていく。これにより、連続シート２が搬送されることにより検査領域に搬送されてきた非接触型ＩＣラベル１の搬送方向の側面からの検査を行いながらも、その検査を行う検査部１３０を、非接触型ＩＣラベル１の搬送方向の側面に対向する領域に配置することができる。また、方向規制ローラ１４０ａの径や方向規制板１４０ｂの円弧の程度と連続シート２上における非接触型ＩＣラベル１の間隔を調整することにより、方向規制ローラ１４０ａと方向規制板１４０ｂとの間の検査領域と検査部１３０とを結んだ直線上に、検査対象となる非接触型ＩＣラベル１のみが存在するようにすれば、検査部１３０のアンテナを指向性が強いものとした場合に、検査が行われた非接触型ＩＣラベル１の搬送方向が検査領域と検査部１３０とを結んだ直線から外れていくことによっても、検査部１３０にて検査が行われた非接触型ＩＣラベル１に対する重複した検査が行われてしまうことが回避される。
【００６１】
そして、検査が終了した非接触型ＩＣラベル１は、その検査結果において不良品である場合はその旨を示すマーキング等が施され、連続シート２とともに巻き取りローラ４に巻き取られていく。
【００６２】
このように本形態においては、連続シート２に貼付された非接触型ＩＣラベル１が、連続シート２が方向規制ローラ１４０ａと方向規制板１４０ｂとの間に搬送されることにより、その搬送方向の側面が検査部１３０に対向する検査領域に搬送され、その検査領域にて検査部１３０によって検査用の情報の書き込み及び読み出しが行われ、その際、検査が行われる非接触型ＩＣラベル１に連続シート２上にて隣接する非接触型ＩＣラベル１が、金属等の電波を減衰させる材料から構成された方向規制ローラ１４０ａまたは方向規制板１４０ｂに当接しているため、連続シート２に配列された他の非接触型ＩＣラベル１に対して情報の書き込み及び読み出しが行われてしまうことがなく、また、連続シート２の搬送経路が、検査領域から検査部１３０側における非接触型ＩＣラベル１の搬送方向が、検査領域と検査部１３０とを結んだ直線から外れるようなものであるため、非接触型ＩＣラベル１の搬送方向の側面からの検査を行う検査部１３０を非接触型ＩＣラベル１の搬送方向に容易に配置することができる。
【００６３】
なお、上述した２つの実施の形態においては、非接触型ＩＣラベル１の搬送方向の側面から検査を行う検査部３０，１３０による非接触型ＩＣラベル１に対する検査用の情報の書き込み及び読み出しを妨害する妨害手段として、側面のうち検査部３０に対向する領域に開口部４１を有する方向規制部材４０や、検査領域の上流側に配置された方向規制ローラ１４０ａ及び検査領域の下流側に配置された方向規制板１４０ｂを例に挙げて説明したが、非接触型ＩＣラベル１の搬送方向の側面から検査を行う検査部３０，１３０による非接触型ＩＣラベル１に対する検査用の情報の書き込み及び読み出しを妨害可能なものであればこれらに限らない。また、方向規制部材４０や方向規制板１４０ｂによって、検査部３０，１３０にて検査が行われた非接触型ＩＣラベル１の搬送方向を、検査部３０，１３０による検査領域と検査部３０，１３０とを結ぶ直線から外れるようにしているが、検査部３０，１３０にて検査が行われた非接触型ＩＣラベル１の搬送方向を変える手段として、検査部３０，１３０による非接触型ＩＣラベル１に対する検査用の情報の書き込み及び読み出しを妨害する妨害手段とは異なるものを設けてもよい。ただし、上述した２つの実施の形態のように、検査部３０，１３０による非接触型ＩＣラベル１に対する検査用の情報の書き込み及び読み出しを妨害する妨害手段が、検査部３０，１３０にて検査が行われた非接触型ＩＣラベル１の搬送方向を変える手段を兼ねた場合、構成部材の数が少なくなり、装置構成を簡易なものとすることができる。
【００６４】
また、本発明の検査装置の検査対象は、連続シート２に配列して貼付された非接触型ＩＣラベル１に限らず、連続シート２に配列して取り付けられ、あるいは分離可能に区画形成された非接触型ＩＣタグ等、様々なＲＦ−ＩＤメディアを検査対象とすることができる。
【図面の簡単な説明】
【００６５】
【図１】本発明の検査装置の検査対象となるＲＦ−ＩＤメディアである非接触型ＩＣラベルの供給形態を示す図である。
【図２】本発明のＲＦ−ＩＤメディアの検査装置の第１の実施の形態を示す図であり、（ａ）は外観斜視図、（ｂ）は（ａ）に示したＡ方向から見た図である。
【図３】図２に示した方向規制部材の詳細な構造を示す図であり、（ａ）は外観斜視図、（ｂ）は（ａ）に示したＡ−Ａ’断面図である。
【図４】図２に示した検査装置の検査部にて非接触型ＩＣラベルの検査が行われる際の動作を説明するための図である。
【図５】本発明のＲＦ−ＩＤメディアの検査装置の第２の実施の形態を示す図である。
【図６】図５に示したＲＦ−ＩＤメディアの検査装置の動作を説明するための図である。
【図７】ウェブ状基材に貼付された非接触型ＩＣラベルを検査する従来の検査装置の一例を示す外観斜視図である。
【符号の説明】
【００６６】
１    非接触型ＩＣラベル
２    連続シート
３    供給ローラ
４    巻き取りローラ
５ａ，５ｂ，５ｃ，１０５ａ，１０５ｂ    電波吸収板
６ａ，６ｂ，６ｃ，４１    開口部
１０，２０，３０，１１０，１２０，１３０    検査部
１１，２１，３１    アンテナ
４０    方向規制部材
５０ａ，５０ｂ，１５０    保持ローラ
１４０ａ    方向規制ローラ
１４０ｂ    方向規制板
【図１】
2009258838.tif 000003
【図２】
2009258838.tif 000004
【図３】
2009258838.tif 000005
【図４】
2009258838.tif 000006
【図５】
2009258838.tif 000007
【図６】
2009258838.tif 000008
【図７】
2009258838.tif 000009